(57)【要約】【課題】静かで省エネルギ運転が実現され、構成部品が効果的に冷却される冷凍機を提供する。【解決手段】本冷凍機は、定速のファンモータ及びファンを３個以上有し、これらを熱交換器に対して並列に並べて使用する冷凍機において、ファンモータの出力及びまたはファンの直径を２種類以上使用する。【選択図】  図１
2004286294.tif 000002
【特許請求の範囲】
【請求項１】
定速のファンモータ及びファンを３個以上有し、これらを熱交換器に対して並列に並べて使用する冷凍機において、ファンモータの出力及びまたはファンの直径を２種類以上使用することを特徴とする冷凍機。
【請求項２】
請求項１に記載の冷凍機において、前記３個以上の定速のファンモータのうち、両端以外に配置されるファンモータは、両端のファンモータよりも小出力であることを特徴とする冷凍機。
【請求項３】
請求項１に記載の冷凍機において、前記３個以上のファンのうち、両端以外に配置されるファンは、両側のファンよりも小直径であることを特徴とする冷凍機。
【発明の詳細な説明】
【０００１】
【発明の属する技術分野】
本発明は冷凍機に係わり、特に３個以上のファンモータ及びファンを使用する冷凍機に関する。
【０００２】
【従来の技術】
従来、冷凍機において、定速の送風機を３台以上設ける場合、熱交換器の大きさに対応させて、より大きな送風量を得るために、送風機のファンの直径を最大限大きくし、さらに、全て同一直径にしている。また、ファンモータの出力はファンの送風能力を最大限引き出すために、同一出力で最大限の熱交換能力を確保するようにしていた。
【０００３】
しかしながら、このような従来のファンとファンモータの組合せでは、隣り合うファンの送風が互いに干渉し合い、耳障りなうなり音が発生する。また、大きな直径のファンを３台以上運転して大風量を得ているので、大きな騒音が発生する。さらに、大きな直径のファンを駆動する大出力のファンモータを３台以上使用するので消費電力が大きく、省エネルギ運転にならない等の欠点があった。
【０００４】
なお、３台以上の電動ファンを備える冷凍機は既に存在する（例えば、特許文献１）が、特許文献１に記載の冷凍機は、可変速度型と定速型の電動ファンの組合せからなる３台以上の電動ファンを備えるものであり、可変速度型電動ファンを用いるため、モータが高価になり、また、制御回路も複雑になる。
【０００５】
【特許文献１】
特開平１０−２２０８４７号公報（段落番号［００１４］、［００１５］、第１、図５）
【０００６】
【発明が解決しようとする課題】
本発明は上述した事情を考慮してなされたもので、静かで省エネルギ運転が実現され、構成部品が効果的に冷却され、かつ安価な冷凍機を提供することを目的とする。
【０００７】
【課題を解決するための手段】
上記目的を達成するため、本発明の１つの態様によれば、定速のファンモータ及びファンを３個以上有し、これらを熱交換器に対して並列に並べて使用する冷凍機において、ファンモータの出力及びまたはファンの直径を２種類以上使用することを特徴とする冷凍機が提供される。これにより、安価で、熱交換器を通過する風速が平均化され、熱交換効率が向上し、隣り合うファンの送風が互いに干渉し合うことがなく、耳障りなうなり音、大きな騒音の発生がなく、静かで省エネルギ運転が実現され、構成部品が効果的に冷却され、冷凍機の信頼性が向上し、小さいファンモータに対向して構成部品を配置していないので、通風抵抗が増すことがなく、熱交換器に対するトータルの送風分布を損なうことなく、熱交換能力を最大限引出すことができ、また、両端以外に配置した電動ファンの直径を小さくした場合、両端に配置した電動ファンを内側の電動ファンにその半径の減少分の寸法を近づけて配置できて、熱交換器の両端の端板部分の吸込み面積を拡大でき、熱交換効率を向上させることができる。
【０００８】
好適な一例では、前記３個以上の定速のファンモータのうち、両端以外に配置されるファンモータは、両端のファンモータよりも小出力である。これにより、安価になりまた、制御回路も簡素化される。
【０００９】
また、他の好適な一例では、前記３個以上のファンのうち、両端以外に配置されるファンは、両側のファンよりも小直径である。これにより、特にうなり音が低減される。
【００１０】
【発明の実施の形態】
以下、本発明に係わる冷凍機の実施形態について添付図面を参照して説明する。
【００１１】
図１は本発明に係わる冷凍機の平面図である。
【００１２】
図１に示すように、冷凍機１は、基台２上に配置され冷媒を圧縮する圧縮機３と、この圧縮機３からの高圧冷媒を凝縮する凝縮器としての熱交換器４と、この熱交換器４に送風する電動ファン５を有し、膨張弁６を介して、例えば、冷凍庫あるいは冷蔵庫７に設けられた蒸発器８に接続されている。
【００１３】
図１乃至図３に示すように、上記電動ファン５は、１個の熱交換器４に対してその長手方向に並列に、３個以上例えば３個配置されており、これらに用いられるファンモータは、いずれも定速型であり、さらに、両端に配置される電動ファン５ａの容量に対して、これ以外、すなわち真中に配置される電動ファン５ｂの容量は小さく設定されている。これら３個以上のファンモータのうち、真中に配置されるファンモータ５ｍｂは、例えば出力８Ｗで、両端に配置されるファンモータ５ｍａの出力例えば１２Ｗよりも小さく設定されている。また、真中に配置されるファン５ｆｂは、例えば直径２３０ｍｍで、両端に配置されるファン５ｆａの直径例えば２５０ｍｍよりも小さく設定されている。真中に配置されるファン５ｆｂの直径を両端に配置されるファン５ｆａより小さくすることにより、この両者をより近接させることができる。そのように近接させた場合、熱交換器４の両端の端板（４ａ）とファン５ｆの外周部との間に寸法的余裕ができ、熱交換器４の吸込み面積を拡大できる。全てのモータを定速型にすることにより、安価になりまた、制御回路も簡素化される。
【００１４】
なお、ファン５ｆａ、ｆｂの周囲に近接して設けられるベルマウスは、大きい直径に合せて３個共直径２５０ｍｍのファンに合せたものであってもよく、あるいは直径２３０ｍｍ及び２５０ｍｍに各々合せたものであってもよい。
【００１５】
図２及び図４に示すように、電動ファン５のうち、両端に配置される電動ファン５ａに対向して、いずれも冷却するのが好ましい圧縮機３、冷凍機１を制御する電気部品（図示せず）が一体的に収容される電気部品箱９、圧縮機３と機外の蒸発器８に連通する吐出側パックドバルブ１０ａ、吸込側パックドバルブ１０ｂとの間に設けられた受液器１１等の構成部品が配置されている。
【００１６】
なお、図中符号１２は圧縮機３の吸込側に接続されたサクションカップ、１３はサクションカップ１２と吸込側パックドバルブ１０ｂ間に設けられたアキュムレータ、１４はサクションカップ１２とアキュムレータ１３を連通する吸込管、１５は圧縮機３と熱交換器４を連通する吐出管である。
【００１７】
本実施形態の冷凍機は上記構造を有するので、熱交換器４を通過する風速が平均化され、熱交換効率が向上し、隣り合うファンの送風が互いに干渉し合うことがなく、耳障りなうなり音が発生することもなく、さらに、大きな直径のファンを３台以上運転することがないので、大きな騒音が発生することがなく、さらに、消費電力を抑えて、省エネルギ運転になる。また、両端に配置される電動ファンに対向して配置される、冷却するのが好ましい構成部品が効果的に冷却され、冷凍機の信頼性が向上する。また、ファン直径及びファン出力の小さいファンモータには、これに対向して冷却するのが好ましい構成部品を配置していないので、通風抵抗が増すことがなく、熱交換器に対するトータルの送風分布を損なうことなく、熱交換能力を最大限引出すことができる。さらに、両端以外に配置した電動ファンの直径を小さくした場合、両端に配置した電動ファンを内側の電動ファンにその半径の減少分の寸法を近づけて配置できる。これにより、熱交換器の両端の端板部分の吸込み面積を拡大でき、熱交換効率を向上させることができる。
【００１８】
なお、運転コンデンサが使用される３個以上の同一出力のファンモータを使用し、両端以外に配置されるファンモータの運転コンデンサの容量を小さくすることでも、ファンモータの出力を小さくすると同様に省エネルギ効果が得られる。
【００１９】
【発明の効果】
本発明に係わる冷凍機によれば、静かで省エネルギ運転が実現され、構成部品が効果的に冷却される冷凍機を提供することができる。
【図面の簡単な説明】
【図１】本発明に係わる冷凍機の平面図。
【図２】本発明に係わる冷凍機の斜視図。
【図３】本発明に係わる冷凍機の側面図。
【図４】本発明に係わる冷凍機の側面図。
【符号の説明】
１…冷凍機、２…基台、３…圧縮機、４…熱交換器、４ａ…端板、５…電動ファン、５ａ…両端の電動ファン、５ｂ…真中の電動ファン、５ｆａ…ファン、５ｆｂ…ファン、５ｍａ…ファンモータ、５ｍｂ…ファンモータ、６…膨張弁、７…冷凍庫、８…蒸発器、９…電気部品箱、１０ａ…吐出側パックドバルブ、１０ｂ…吸込側パックドバルブ、１１…受液器、１２…サクションカップ、１３…アキュムレータ、１４…吸込管、１５…吐出管。
【図１】
2004286294.tif 000003
【図２】
2004286294.tif 000004
【図３】
2004286294.tif 000005
【図４】
2004286294.tif 000006